(57)【要約】【課題】  オペレーションカードの情報を読み取ることによって紙葉類処理装置を停止しなくとも紙葉類処理装置の利用内容を自動的変更することができるため、処理能力が向上するオペレーションカードを用いた紙葉類処理装置を提供する。【解決手段】  最初に、オペレーションカードＣＡの読み取り結果に基づいて、入金業務及びカセットアサインを設定し（Ｓ１）、取引Ａの入金業務を実行する（Ｓ２）。次に、オペレーションカードＣＢの読み取り結果に基づいて、整理業務及びカセットアサインを設定し（Ｓ３）、取引Ｂの整理業務を実行する（Ｓ４）。次に、オペレーションカードＣＣの読み取り結果に基づいて、入金業務を実行する（Ｓ６）。次に、オペレーションカードＣＤの読み取り結果に基づいて、入金業務を実行する（Ｓ８）。最後に、オペレーションカードＣＥの読み取り結果に基づいて、バランス処理を実行する（Ｓ９）。この結果、取引Ｂは整理業務であるため、システムに入金されない。【選択図】  図３
2007011948.tif 000002
【特許請求の範囲】
【請求項１】
一括して供給されたオペレーションカード及び紙葉類を1枚ずつ取り出して紙葉類判別装置で判別し、この紙葉類判別装置の判別結果に基づいて前記オペレーションカード及び紙葉類を区分処理する紙葉類処理装置であって、
前記オペレーションカードを読み取るオペレーションカード読取手段と、
このオペレーションカード読取手段による読み取り結果に基づいて、前記紙葉類を処理する処理方法を設定する設定手段と、
この設定手段による設定に基づいて、前記紙葉類処理装置を制御する制御手段と、
この制御手段によって、前記オペレーションカードと紙葉類を一組とする取引を複数組区分処理するとき、先の取引終了後に、続けて次の取引のオペレーションカードが読み取られたとき、先の取引の区切り処理を行う取引の区切り手段と、
を備えたことを特徴とするオペレーションカードを用いた紙葉類処理装置。
【請求項２】
一括して供給されたオペレーションカード及び紙葉類を1枚ずつ取り出して紙葉類判別装置で判別し、この紙葉類判別装置の判別結果に基づいて前記オペレーションカード及び紙葉類を区分処理する紙葉類処理装置であって、
前記紙葉類を処理する処理方法を設定する操作手段と、
前記オペレーションカードを読み取るオペレーションカード読取手段と、
このオペレーションカード読取手段による読み取り結果に基づいて、前記紙葉類を処理する処理方法を設定する設定手段と、
この設定手段による設定に基づいて、前記紙葉類処理装置を制御する制御手段と、
この制御手段によって、前記紙葉類及びオペレーションカードが区分処理され、前記操作手段による設定に基づく先の取引終了後に、続けて次の取引のオペレーションカードが読み取られたとき、先の取引の区切り処理を行う取引の区切り手段と、
を備えたことを特徴とするオペレーションカードを用いた紙葉類処理装置。
【請求項３】
前記読取手段は、
前記オペレーションカードに印字されたバーコードを読み取ることを特徴とする請求項１又は請求項２記載のオペレーションカードを用いた紙葉類処理装置。
【請求項４】
前記設定手段は、
入金業務、整理業務、又はバランス処理業務の何れかの取引方法を設定する取引方法設定手段と、
前記紙葉類判別手段によって前記紙葉類を判別する判別レベルを設定する判別レベル設定手段と、
前記取引方法設定手段及び前記判別レベル設定手段に基づいて前記紙葉類を区分して収納する集積装置のカセットアサインを設定するカセットアサイン設定手段と、
を備えたことを特徴とする請求項１又は請求項２記載のオペレーションカードを用いた紙葉類処理装置。
【請求項５】
前記取引の区切り手段は、
前記集積装置に設けられた一時集積庫に集積された紙葉類を当該集積装置のカセットに収納する収納手段と、
前記取引された紙葉類の種類毎の枚数を計数する取引計数手段と
を備えたことを特徴とする請求項１又は請求項２記載のオペレーションカードを用いた紙葉類処理装置。
【請求項６】
前記オペレーションカードの前記バーコードに印字された、所定の設定パターン情報に基づいて、前記取引方法、前記判別レベル、及び前記カセットアサインを設定することを特徴とする請求項１乃至請求項３記載のオペレーションカードを用いた紙葉類処理装置。
【発明の詳細な説明】
【技術分野】
【０００１】
本発明は、紙幣などの紙葉類を判別して区分する紙葉類処理装置に関し、特に、オペレーションカードによって処理内容を自動的に変更するオペレーションカードを用いた紙葉類処理装置に関する。
【背景技術】
【０００２】
従来、銀行券処理装置などの紙葉類処理装置では、紙葉類の中に偽券（偽物の紙葉類）が混入する場合がある。この偽券混入がどこの回収機関から回収されたものであるかを明確にするため、処理する紙葉類の１００枚を施封した把から施封帯を取り外し、取り出した紙葉類１００枚の上に区分カードを載せ、その上に次の把の紙葉類１００枚と区分カードを載せるといった具合に、１００枚の紙葉類と区分カードと交互に１０把分積み重ねて（１０把積み重ねたものを束と称す）紙葉類処理装置に供給していた。
【０００３】
把の施封帯には、回収機関名、処理者のサインなどが記されており、把から外された施封帯は、上記束における各把と同じ順番で１０把分まとめて一つのセットとして保管され、偽券の回収機関などを知るための情報として利用されている。
【０００４】
紙葉類処理装置は、集積された区分カード及び紙葉類を1枚ずつ取り出して搬送路に繰り出し、後段の処理部へ搬送する。このようにして搬送された紙葉類は、搬送路上に設けられた紙葉類判別装置を通過したときに、この紙葉類判別装置によって真偽（真券か偽券か）、判別や正損（再流通可能な正券か、再流通不可能な損券か）判別が行われ、この判別結果に基づいて紙葉類が区分され、集積装置又は施封装置に振り分けて処理される。この際、区分カードは、偽券及び判別不能券と同様にリジェクト集積部に集積される。
【０００５】
区分カードには、ユニークな処理番号がこの番号を示すバーコードと共にそれぞれ印刷されている。例えば、最初の束に使用されるカードには１００から１９９までの処理番号を示すコードが印刷され、次の束には２００から２９９までの処理番号を示すバーコードが印刷されている。紙葉類処理装置は、この区分番号を読み取って処理番号を取得すると共に、上記紙葉類判別装置の判別結果に基づいて個々の把毎の正券、損券、偽券、処理不能券の集計を行い、この集計データと処理番号とを対応付けた情報をプリントアウトしている。（例えば、特許文献１参照。）。
【特許文献１】特開２００２−３５２２９３号広報  （第１−４頁、図６）
【発明の開示】
【発明が解決しようとする課題】
【０００６】
しかしながら、特許文献１記載の紙葉類処理装置では、区分カードで区分された把毎に、紙葉類判別装置によって当該把を構成する紙葉類の判別結果を知ることができるが、紙葉類処理装置の業務の変更（例えば、入金業務から整理業務へ）、カセットアサイン（カセットに割り当てる券種設定）、正損レベル（正券と損券の切り分けレベル）設定などを変更する場合には、紙葉類処理装置を一旦停止し、操作員が操作画面から変更する操作内容を再設定し、紙葉類処理装置を再起動する必要があった。さらに、取引終了時にバランス処理（1日の閉め処理）を行う場合にも、同様に紙葉類処理装置を一旦停止し、操作員が操作画面から変更する操作内容を再設定する必要があった。そのため、処理能力が上がらないという問題があった。
【０００７】
本発明は、上記問題を解決するためになされたもので、区分カード（以下、本発明では紙葉類処理装置の操作を指示するカードの意味でオペレーションカードと称する。）で区分された紙葉類を処理する紙葉類処理装置において、オペレーションカードの情報を読み取ることによって紙葉類処理装置を停止しなくとも紙葉類処理装置の利用内容を自動的に変更することができるため、処理能力が向上するオペレーションカードを用いた紙葉類処理装置を提供することを目的とする。
【課題を解決するための手段】
【０００８】
上記目的を達成するために、本発明の請求項１記載の紙葉類処理装置は、一括して供給されたオペレーションカード及び紙葉類を1枚ずつ取り出して紙葉類判別装置で判別し、この紙葉類判別装置の判別結果に基づいて前記オペレーションカード及び紙葉類を区分処理する紙葉類処理装置であって、前記オペレーションカードを読み取るオペレーションカード読取手段と、このオペレーションカード読取手段による読み取り結果に基づいて、前記紙葉類を処理する処理方法を設定する設定手段と、この設定手段による設定に基づいて、前記紙葉類処理装置を制御する制御手段と、この制御手段によって、前記オペレーションカードと紙葉類を一組とする取引を複数組区分処理するとき、先の取引終了後に、続けて次の取引のオペレーションカードが読み取られたとき、先の取引の区切り処理を行う取引の区切り手段と、を備えたことを特徴とする。
【発明の効果】
【０００９】
本発明によれば、オペレーションカードで区分された紙葉類を処理する紙葉類処理装置において、オペレーションカードの情報を読み取ることによって紙葉類処理装置を停止しなくとも紙葉類処理装置の利用内容を自動的変更することができるため、処理能力が向上するオペレーションカードを用いた紙葉類処理装置にすることができる。
【発明を実施するための最良の形態】
【００１０】
以下、図面を参照して本発明の実施例を説明する。
【実施例】
【００１１】
図１は、本発明の実施例によるオペレーションカードを用いた紙葉類処理装置の概略断面図である。この紙葉類処理装置は、紙葉類処理部１及び主制御部５００で構成され、主制御部５００の操作表示部（表示手段）５０２から操作員の操作によって、入金業務、整理業務などの取引方法の設定、処理した紙葉類を収納する収納庫（以下、カセットと称する。）を設定するカセットアサイン、及び紙葉類の判別レベルである正損レベル設定が行われる。この設定の後、供給部１０に供給された複数券種の紙葉類Ｐが一定の間隔で１枚ずつ取り出されて搬送され、上記カセットアサインによって設定されたカセット（５７Ｄ〜６２Ｄ）に収納又は施封される。
【００１２】
また、設定した業務の取引終了時には、各業務終了に伴う取引の区切り処理が行われる。さらに、１日の業務終了などの単位で取引計数を集計するバランス処理が行われる。
【００１３】
本実施例の紙葉類処理装置はさらに、オペレーションカードを読み取らせることによって、上記、操作表示部５０２から操作員によって設定されたと同様に、入金業務、整理業務、カセットアサイン、正損レベル設定、取引の区切り処理、及びバランス処理などを行うことができる。
【００１４】
入金業務とは、予め合計金額のわかっている複数券種の紙葉類Ｐを、紙葉類処理装置を用いて、券種毎、搬送状態毎、正損毎に区分し、紙葉類処理装置で計数した金額が正しいことを確認し、システムに登録する業務である。なお、この業務によって処理された紙葉類Ｐは、上述した集積部５７〜６２の各カセット５７Ｄ〜６２Ｄに集積され、又は施封部４で施封される。
【００１５】
整理業務とは、入金業務においてシステムに計数を登録しない業務である。取引した券種を計数することが目的ではなく、一度入金業務などで計数を行った券種をさらに詳細に集積部５７〜６２の各カセット５７Ｄ〜６２Ｄに集積したり、施封を行ったりするために使用する。
【００１６】
カセットアサインとは、集積部５７〜６２の各カセット５７Ｄ〜６２Ｄに収納する券種、及び施封部で施封する券種を設定することである。
【００１７】
正損レベル設定とは、再流通可能な正券と再流通不可能な損券に区分する閾値のレベルを設定することである。
【００１８】
取引の区切り処理とは、各取引終了後、例えば操作表示部５０２に設けられた完了ボタン（図示しない）が押下されたとき、上記集積部５７〜６２に集積された紙葉類を各カセット５７Ｄ〜６２Ｄに収納する処理のことで、紙葉類が収納された各カセットは、操作員によって空のカセットと交換される。
【００１９】
ここで、紙葉類Ｐが搬送されるときの搬送状態について説明する。紙葉類Ｐは、表（Ｆａｃｅ：表を上にした状態）、裏（Ｂａｃｋ：裏を上にした状態）、正（Ｆｏｗａｒｄ：紙葉類の表もしくは裏の印刷が正立した状態）、逆（Ｒｅｖｅｒｓｅ：紙葉類の表もしくは裏の印刷が倒立した状態）の４種類あり、これらを組み合わせた表正ＦＦ、表逆ＦＲ、裏正ＢＦ、裏逆ＢＲからなる４種類の搬送状態が形成される。
【００２０】
紙葉類処理部１は、紙葉類Ｐを供給する供給部１０と、この供給部１０から供給された紙葉類Ｐを１枚ずつ取り出す紙葉類取出装置２００と、この紙葉類取出装置２００によって取り出された紙葉類Ｐを搬送する搬送路１６とを有している。また、この搬送路１６によって搬送される紙葉類Ｐの搬送ピッチを補正する搬送ピッチ補正部２１０が配置されている。さらに、この搬送ピッチ補正部２１０によって搬送ピッチが補正された紙葉類Ｐを１枚ずつ判別する紙葉類判別装置１９が搬送路１６に沿って配置されている。この紙葉類判別装置１９の判別結果に基づき紙葉類Ｐの搬送状態を揃えるために反転する反転処理部が配置されている。このようにして搬送状態の揃えられた紙葉類Ｐは操作表示部５０２又はオペレーションカードによって、区分方法が設定されると、この設定に基づいて施封する施封部４、又は券種毎に集積する集積部５７〜６２に集積される。
【００２１】
なお、紙葉類処理部１はインターフェース５０１を介して主制御部５００に接続されている。以下、紙葉類処理部１の構成を紙葉類Ｐの供給部から順に説明する。
【００２２】
上記供給部１０は、４種類の搬送状態が混在する紙葉類Ｐを当接して整位するステージ１１と、このステージ１１に対して鉛直方向に立設したバックアッププレート１２とで構成されている。また、このバックアッププレート１２は、バネ１３の付勢力によってステージ１１に沿って左側に移動可能になっている。このようにして供給された紙葉類Ｐは、バックアッププレート１２によりピックアップローラ５側に圧接される。この状態において、紙葉類Ｐは、取り出しローラ３０が回転することにより一定間隔を有して1枚ずつ取り出されて搬送路１６に繰り出される。
【００２３】
搬送ピッチ補正部２１０は、搬送ローラ２１１の搬送方向下流に近接して設置されて紙葉類Ｐを検知するタイミングセンサＳＣ１と、搬送ローラ駆動モータ２１２からの駆動力によって回転速度を可変することができる搬送ローラ２１３と、この搬送ローラ２１３に対向配置されたピンチローラ２１４及び搬送ローラ駆動モータ２１２を制御する搬送ピッチ制御部（図示なし）とで構成される。
【００２４】
分岐ゲートＧ１は、例えば、リジェクト券と、処理券とに振り分けるゲートである。リジェクト券とは、紙葉類判別装置１９の紙葉類判別部（詳細は、後述する。）で紙葉類Ｐを判別した結果、紙葉類Ｐが偽券、又は折れ、破れ、スキューなどにより判別のできない「判別不能券」と判別された紙葉類をいう。この判別結果を搬送制御部（詳細は、後述する）が受信すると、分岐ゲートＧ１を右側（時計方向）に回動することにより、当該リジェクト券をリジェクト集積部８０に集積する。
【００２５】
また、処理券とは、紙葉類判別装置１９の紙葉類判別部で判別された紙葉類Ｐが真券で正券、又は真券で損券をいう。搬送制御部は、その判別結果を受信すると、分岐ゲートＧ１を左側（反時計方向）に回動して、当該紙葉類を区分処理する。
【００２６】
反転処理部は、スイッチバック反転部３及び表裏反転部９で構成され、取り揃える方向により上記スイッチバック反転部３及び表裏反転部９の一方、若しくは両方が使用される。
【００２７】
スイッチバック反転部３は、搬送ローラ対３００、３０１の搬送方向下流に近接して設置されて紙葉類Ｐを検知するタイミングセンサＳＣ２と、このタイミングセンサＳＣ２の搬送方向下流に近接して設置された分岐ゲートＧ１０、Ｇ１１と、反転処理部取り込みローラ３０２、３０３とによって反転部３１１に取り込まれる。
【００２８】
反転部３１１は、取り込んだ紙葉類Ｐを図示矢印Ａ３１の方向に搬送するために正回転する逆転ローラ３０４及びピックアップローラ３０５と、この逆転ローラ３０４を駆動する逆転ローラ駆動モータ３１０と、搬送ローラ３０６、３０７とで構成される。
【００２９】
また、反転部３１１に取り込んだ紙葉類Ｐを反転するために図示矢印Ａ３２の方向に搬送し、スイッチバック反転部３から放出するための搬送ローラ３０８、３０９が設けられている。
【００３０】
ここで、逆転ローラ３０４は、紙葉類Ｐを図示矢印Ａ３１の方向に搬送する場合は正回転し、図示矢印Ａ３２の方向に搬送する場合は逆回転する。
【００３１】
分岐ゲートＧ２は、表裏反転分岐ゲートである。紙葉類判別部で判別された紙葉類Ｐの搬送状態の結果に基づき、表裏反転を必要とする場合に右側（時計方向）に回動し、紙葉類Ｐを図示矢印Ａ６で示す表裏反転部９を通過させる。また、表裏反転を必要としない場合、分岐ゲートＧ２を、左側に回動し、紙葉類Ｐを図示矢印Ａ４で示す方向に搬送させる。
【００３２】
表裏反転部９は、紙葉類判別装置１９の紙葉類判別部で判別された結果に基づき、紙葉類Ｐの搬送状態の表裏を反転する。例えば搬送状態が裏逆（ＢＦ）の場合、表裏反転部９によって表正ＦＦになる。
【００３３】
分岐ゲート（第1分岐手段）Ｇ３は、搬送される紙葉類Ｐを搬送路（主搬送路）１６から施封部４、又は集積部５７〜６２に分岐する分岐ゲートである。搬送される紙葉類Ｐが主制御部５００、又はオペレーションカードによって施封するように指定された券種の場合、搬送制御部は、分岐ゲートＧ３を右側（時計方向）に回動し、紙葉類Ｐを施封部４が設けられている図示矢印Ａ４０の方向に搬送する。また、それ以外の券種の紙葉類Ｐは、ゲートＧ３からゲートＧ４〜Ｇ８を経由して集積部５７〜６２に集積するように振り分けられる。
【００３４】
施封部４及び集積部５７〜６２には、紙葉類Ｐが搬送される搬送路から分離するために搬送路の終端に紙葉類Ｐを集積する集積装置として羽根車集積装置が設けられている。
【００３５】
この羽根車集積装置は、例えば、集積部５７の場合、羽根車５７Ａ、一時集積庫５７Ｂ、シャッター５７Ｃ、カセット５７Ｄ、及び集積を補佐するプッシャ（図示しない）などの装置で構成される。
【００３６】
羽根車５７Ａは、複数の羽根が回転軸の周辺に組み込まれており、搬送されてきた紙葉類Ｐを羽根と羽根の間で受け取れるように紙葉類Ｐの搬送に同期して回転している。この羽根車を使用することによって、高速に搬送される紙葉Ｐの運動エネルギーを吸収しながら、かつ、整位された状態で一時集積庫５７Ｂに集積される。
【００３７】
一時集積庫５７Ｂは、集積部５７〜６２で使用される一時集積庫５７Ｂと、施封部４の一時集積庫４２Ｂ、４３Ｂとでは以降で処理する目的が異なるために形態が異なっている。
【００３８】
集積部５７〜６２で使用される一時集積庫５７Ｂには、シャッター５７Ｃが備えられており、このシャッター５７Ｃの上に紙葉類Ｐが集積される。そして、このシャッター５７Ｃに集積された紙葉類Ｐは、例えば満杯になったとき、又は業務終了指示（図示しない）などがあると、シャッター５７Ｃが開き、シャッター５７Ｃ下部に設けられたカセット５７Ｄに落下して集積される。
【００３９】
一方、施封部４の一時集積庫４２Ｂ、４３Ｂでは、バックアッププレート４２Ｃ、４３Ｃの上に集積された紙葉類Ｐが１００枚（以下、１００枚紙葉類４５と称する。）に達すると、プッシャー(図示しない)が下降して、この１００枚紙葉類４５を一時集積庫４２Ｂ、４３Ｂに押し込む。次に、バックアッププレート４２Ｃ、４３Ｃとプッシャーで１００枚紙葉類４５を保持して後述する搬送キャリア４４Ｄに渡す。
【００４０】
施封部４（施封手段）は、第１集積部４２、第２集積部４３、搬送部、紙帯部４６、帯送り部４７、帯巻き部４８で構成される。本実施例では、施封部４が、上記第１集積部４２、第２集積部４３を有している場合を説明するが、必要に応じてこれら２個の集積部を対にして複数セット用いてもよい。
【００４１】
第１集積部４２及び第２集積部４３は、共に同様に構成されているため、第１集積部４２についてその構成を説明し第２集積部４３の説明を省略する。
【００４２】
第１集積部４２には、施封搬送路４０Ａから紙葉類を分岐する分岐ゲートＧ１２、振り分けられた紙葉類Ｐを搬送する搬送路４０Ｂ、搬送４０Ｂの終端から送り出された紙葉類を受け取る羽根車４２Ａ、この羽根車４２Ａによって受け取られた紙葉類Ｐを集積する一時集積庫４２Ｂ、集積された紙葉類Ｐを押圧するプッシャーが設けられている。以下、施封部４の各部構成について詳細に説明する。
【００４３】
一時集積庫４２Ｂは、搬送される紙葉類Ｐを計数し１００枚毎に区分して集積するバックアッププレート４２Ｃを備えている。
【００４４】
搬送部は、縦搬送路４４Ａ、４４Ｂ、搬送キャリア４４Ｄ、及び横搬送路４４Ｃから構成される。縦搬送路４４Ａ、４４Ｂは、バックアッププレート４２Ｃ、４３Ｃで受けた１００枚紙葉類４５を上昇又は下降するためのものである。また、搬送キャリア４４Ｄは、縦搬送路４４Ａ又は縦搬送路４４Ｂの停止位置でバックアッププレート４２Ｃ又は４３Ｃから１００枚紙葉類４５を受け、施封トレイ（図示しない）に渡すために横搬送路４４Ｃ上を往復移動することができるように構成される。
【００４５】
紙帯部４６は、施封トレイに積載された１００枚紙葉類４５を施封するための紙帯４６Ａ、この紙帯４６Ａに印刷するための印刷機能と印刷された紙帯４６Ａを送る機能とを備えた帯送り部４７、１００枚紙葉類４５を帯送り装置から送られた印刷済み紙帯で施封する帯巻き部４８、及び施封部４を制御する施封制御部４００とで構成される。
【００４６】
図２は、紙葉類判別装置１９及び主制御部５００の構成を示すブロック図である。紙葉類判別装置１９は、紙葉類Ｐの判別を行う紙葉類判別部２０と、搬送される紙葉類Ｐの行き先を決定する搬送制御部２６とで構成される。
【００４７】
紙葉類判別部２０は、紙葉類Ｐの材質に関わる光学的特性や磁気的特性を検出するための複数のセンサ１〜ｎ、これらセンサ１〜ｎの出力信号を増幅する増幅回路１〜ｎ、この増幅回路１〜ｎの出力信号を処理する処理手段から構成される。この処理手段は、Ａ／Ｄ変換するためのＡ／Ｄ変換部２４、このＡ／Ｄ変換部２４でＡ／Ｄ変換されたデータを論理演算する論理回路部２３、この論理回路部２３の出力信号から真偽（本物か偽物か）、正損（正券か損券か）を判別する他、紙葉類判別部２０の全体を制御するＣＰＵ２１と、このＣＰＵ２１によってアクセスされる記憶部２５、及びＣＰＵ２１で判別された結果やデータを主制御部５００との間で通信するためのＩ／Ｆ部２２とで構成される。
【００４８】
また、搬送制御部（制御手段）２６は、紙葉類判別部２０の判別結果により、搬送される紙葉類Ｐの行き先を決定して、紙葉類Ｐの搬送制御を行うＣＰＵ２７と、このＣＰＵ２７によってアクセスされる記憶部２９と、紙葉類判別部２０とのＩ／Ｆ部２８とで構成される。
【００４９】
上記光学的特性を検知するセンサには、ラインセンサも含まれ、このラインセンサ（読取手段）によってオペレーションカードに印字されたバーコードが読み取られ、ＣＰＵ２１によって認識される。また、このＣＰＵ２１は、上記オペレーションカードの読み取り結果に基づいて、紙葉類Ｐを処理するために処理方法を設定する（設定手段）。この設定手段として、紙葉類を処理する取引方法の設定（取引方法設定手段）、紙葉類判別装置によって紙葉類Ｐを判別する判別レベルの設定（判別レベル設定手段）、及び取引方法設定手段及び判別レベル設定手段に基づいて紙葉類Ｐを区分して収納する集積装置のカセットアサインの設定（カセットアサイン設定手段）が設けられている。
【００５０】
なお、上記ＣＰＵ２１によって認識されたオペレーションカードの読み取り結果は、搬送制御部２６に送信され、搬送制御部２６によって、紙葉類Ｐの搬送先が設定される。
【００５１】
以上のように、紙葉類処理部１は、紙葉類Ｐの搬送を制御する搬送制御部２６と、この搬送制御部２６によって搬送された紙葉類Ｐを施封する施封制御部４００によって制御される。
【００５２】
図３は、オペレーションカードＣＡ〜ＣＥを用いて入金業務、整理業務、及びバランス処理業務を行う場合のオペレーションカードＣＡ〜ＣＥ及び紙葉類Ｐの積載状態である。この図は、取引Ａ、取引Ｂ、取引Ｃ、取引Ｄからなる取引が図示矢印Ａ２方向に１枚ずつ取り出されて順番に処理される場合を示しており、各取引紙葉類Ｐの先頭にオペレーションカードＣＡ〜ＣＥが挿入さている一例である。この例では、取引Ａ〜取引Ｄの順に、例えば、入金業務、整理業務、入金業務、入金業務を行い、最後にバランス処理を行う場合を示している。なお、各取引の終了毎に、取引の区切り処理が行われ、集積された紙葉類を収納したカセット５７Ｄ〜６２Ｄが交換される（詳細は、後述する。）。
【００５３】
取引Ａは、オペレーションカードＣＡによってこの取引Ａの業務が入金業務であることが設定される。取引Ｂは、オペレーションカードＣＢによってこの取引Ｂの業務が整理業務であることが設定される。取引Ｃは、オペレーションカードＣＣによってこの取引Ｃの業務が入金業務であることが設定される。取引Ｄは、オペレーションカードＣＤによって入金業務であることが設定される。オペレーションカードＣＥは、以上の業務に関するバランス処理を行うことを設定している。
【００５４】
このバランス処理を実施した結果、システムに入金された取引計数ＢＣは下式（１）で示される。この場合は、上述したように整理業務である取引Ｂの取引計数が計数されない。なお、取引計数とは、入金業務で処理された券種毎の枚数である。  
ＢＣ＝取引Ａ＋取引Ｃ＋取引Ｄ・・・・・（１）
ＢＣ：システムに入金される取引計数
【００５５】
図４は、オペレーションカードにバーコードを用いた場合の一例である。バーコードにはＣＯＤＥ−９、ＮＷ−７、ＩＴＦ、ＪＡＮ（ＵＰＣ、ＥＡＮ）等さまざまな種類が存在する。ここでは、その中のＩＴＦ（Interleaved Two of Five）コードを用いた場合について説明する。
【００５６】
ＩＴＦコードは、太バー（ワイドバーＷＢ）、細バー（ナローバーＮＢ）、太スペース（ワイドスペースＷＳ）、細スペース（ナロースペースＮＳ）、の組合せで構成され、バー５本とスペース５本でそれぞれ１文字（数字の場合）のキャラクタを構成する。１文字目はバー５本で表し、２文字目はスペース５本で表す構成であるため偶数桁になる。そして、バー、スペースのどちらも有意な情報を示しているため、非常に密度の高い構成になる。また、スタートキャラクタ（ＳＴＡＲＴ）とストップキャラクタ（ＳＴＯＰ）は、他の数字と異なり、図に示すパターンで表す。
【００５７】
ナローバーＮＢとワイドバーＷＢの構成比率は、図に示すようにナローバーＮＢとワイドバーＷＢ、もしくはナロースペースＮＳとワイドスペースＷＳの構成比率は１：２〜１：３の範囲で使用される。
【００５８】
図は、以上の基準に基づいてＩＴＦコードのキャラクタが構成され、ＳＴＡＲＴ、ＳＴＯＰ、及び０〜９の数字を印字した場合を示している。この１０桁の数字を組み合わせることによって上述した各種設定を行うことができる。
【００５９】
例えば、最初の数字（1桁目）〜６桁目を用いて下記（１）〜（３）に示す各種設定を行った場合の一例を下記に示す。  
（１）1桁目：取引方法を設定する。  
０：入金業務
１：整理業務
２：バランス処理業務
（２）２桁目：正損判別レベルを設定する。  
（３）３桁目〜６桁目：カセットアサイン及び設定パターンを設定する。  
０００１：券種１を施封し、他は低額券種から高額券種の順に集積部５７〜６２を割り振る。  
０００２：券種２を施封し、他は低額券種から高額券種の順に集積部５７〜６２を割り振る。  
１００１：設定パターン１：券種１を施封し、搬送状態は表正ＦＦに取り揃え、他は低額券種から高額券種に順に集積部５７〜６２に割り振り、正損レベルは１０段階の５とする。  
上記設定パターンとは、よく使用される処理方法を特定の番号に設定して用いる方法で上記の場合は、設定パターン番号「１００１」の場合に、上述した処理を行うように設定する。同様に、別の設定パターン番号で、これとは違う処理を行うことができるのは当然である。
【００６０】
図５は、オペレーションカードによる自動処理のフローチャートである。以下、図３に示した業務処理を例に説明する。
【００６１】
最初に、オペレーションカードＣＡを読み取る。このオペレーションカードＣＡの読み取り結果に基づいて、入金業務の設定とカセットアサインを設定し（Ｓ１）、取引Ａの入金業務を実行する（Ｓ２）。
【００６２】
次に、オペレーションカードＣＢを読み取る。このオペレーションカードＣＢが読み込まれたことにより、取引の区切り処理が行われる。この取引の区切り処理とは、業務終了毎に一時集積庫５７Ｂ〜６２Ｂに集積された紙葉類Ｐをカセット５７Ｄ〜６２Ｄに収納し、処理結果を主制御部５００に送信し、さらに、処理結果をジャーナルに印字する処理のことである。従って、この場合は、オペレーションカードＣＡによる入金業務に基づいて一時集積庫５７Ｂ〜６２Ｂに集積された紙葉類Ｐがカセット５７Ｄ〜６２Ｄに収納され、処理結果が主制御部５００に送信され、さらに入金業務の処理結果がジャーナルに印字される。
【００６３】
続けて、このオペレーションカードＣＢを読み取った結果に基づいて、整理業務の設定とカセットアサインを設定し（Ｓ３）、取引Ｂの整理業務を実行する（Ｓ４）。通常、この取引Ｂの整理業務の開始に伴い、操作員によって、カセット５７Ｄ〜６２Ｄの交換が行われる。
【００６４】
次に、オペレーションカードＣＣを読み取る。このオペレーションカードＣＣが読み込まれたことにより、取引の区切り処理が行われる。この場合は、オペレーションカードＣＢによる整理業務に基づいて一時集積庫５７Ｂ〜６２Ｂに集積された紙葉類Ｐがカセット５７Ｄ〜６２Ｄに収納され、処理結果が主制御部５００に送信され、さらに入金業務の処理結果がジャーナルに印字される。
【００６５】
続けて、このオペレーションカードＣＣを読み取った結果に基づいて、入金業務の設定とカセットアサインを設定し（Ｓ５）、取引Ｃの入金業務を実行する（Ｓ６）。
【００６６】
次に、オペレーションカードＣＤを読み取る。このオペレーションカードＣＤが読み込まれたことにより、取引の区切り処理が行われる。この場合は、オペレーションカードＣＣによる整理業務に基づいて一時集積庫５７Ｂ〜６２Ｂに集積された紙葉類Ｐがカセット５７Ｄ〜６２Ｄに収納され、処理結果が主制御部５００に送信され、さらに入金業務の処理結果がジャーナルに印字される。
【００６７】
続けて、このオペレーションカードＣＤを読み取った結果に基づいて、入金業務の設定、カセットアサインの設定、及び正損レベルの設定を行い（Ｓ７）、取引Ｄの入金業務を実行する（Ｓ８）。
【００６８】
次に、オペレーションカードＣＥを読み取る。このオペレーションカードＣＥの読み取り結果に基づいて、バランス処理を実行する（Ｓ９）。このバランス処理では、取引Ａ〜取引Ｄの中から整理業務である取引Ｂを除いた入金業務の取引計数ＢＣが求められる。取引計数ＢＣの算出方法は、上述した通りである。
【００６９】
本実施例では、バーコードの読み取りを紙葉類判別装置で行う場合を説明したが、専用のバーコード読取装置を用いても同様の効果が得られるのは当然である。また、バーコードの換わりに、無線タグを埋め込んだオペレーションカードを用い、この無線タグを読み取る読取装置を搭載した場合にも同様の効果が得られる。
【００７０】
以上説明したように、本実施例によれば、従来操作員が行っていた紙葉類処理装置の処理内容の変更をオペレーションカードによって自動的に行うことができるため、処理能力が向上した紙葉類処理装置の提供が可能になる。
【図面の簡単な説明】
【００７１】
【図１】本発明の実施例によるオペレーションカードを用いた紙葉類処理装置の概略断面図。
【図２】紙葉類判別装置及び主制御部の構成を示すブロック図。
【図３】オペレーションカードを用いて入金業務及び整理業務を行う場合のオペレーションカード及び紙葉類の積載状態。
【図４】オペレーションカードにバーコードを用いた場合の一例。
【図５】オペレーションカードによる自動処理のフローチャート。
【符号の説明】
【００７２】
Ｐ  紙葉類
Ｇ１〜Ｇ８  分岐ゲート
Ｇ１０〜Ｇ１３  分岐ゲート
１  紙葉類処理部
３  スイッチバック反転部
４  施封部
４０Ａ、４０Ｂ  施封搬送路
４４Ａ、４４Ｂ  縦搬送路
４４Ｄ  搬送キャリア
４４Ｃ  横搬送路
４６  紙帯部
４７  帯送り部
４８  帯巻き部
４２  第１集積部
４３  第２集積部
５７Ａ  羽根車
４２Ｂ、４３Ｂ  一時集積庫
４２Ｃ、４３Ｃ  バックアッププレート
４３４  プッシャー
５７〜６２  集積部
５７Ｂ〜６２Ｂ  一時集積庫
５７Ｃ〜６２Ｃ  シャッター
５７Ｄ〜６２Ｄ  カセット
５００  主制御部
５０２  操作表示部
【図１】
2007011948.tif 000003
【図２】
2007011948.tif 000004
【図３】
2007011948.tif 000005
【図４】
2007011948.tif 000006
【図５】
2007011948.tif 000007